(57)【要約】【課題】セキュリティ要求を満たす開封検知作動機構付ハードディスク装置を提供する。【解決手段】磁気記録媒体１４０および磁気ヘッド１４４を内包し、開口部１２２を有する筐体１２０と、該開口部を覆う蓋１２４と、該蓋を前記筐体に締結するねじ１２６とを備えるハードディスク装置であって、前記ねじを締付ける方向の回転運動に対しては作動せず、緩める方向の回転運動に対して作動するラチェット機構１３０を備える。【選択図】　　　　図１
2004055019.tif 000002
【特許請求の範囲】
【請求項１】
磁気記録媒体および磁気ヘッドを内包し、開口部を有する筐体と、該開口部を覆う蓋と、該蓋を前記筐体に締結するねじとを備えるハードディスク装置であって、
前記ねじを締付ける方向の回転運動に対しては作動せず、緩める方向の回転運動に対して作動するラチェット機構を備えることを特徴とする開封検知作動機構付ハードディスク装置。
【請求項２】
前記ラチェット機構は、前記ねじの軸方向移動に連動する第一の部材と、該第一の部材に噛合い一方向へのみ力を伝達する第二の部材と、該第二の部材の力により位置移動される第三の部材を備えることを特徴とする請求項１に記載の開封検知作動機構付ハードディスク装置。
【請求項３】
前記第三の部材が、前記磁気記録媒体の記録を破壊する手段を駆動するように構成されていることを特徴とする請求項２に記載の開封検知作動機構付ハードディスク装置。
【発明の詳細な説明】
【０００１】
【発明の属する技術分野】
この発明は、ハードディスク装置の磁気記録媒体に記録された情報を、違法な手段で入手しようとした場合等に、その情報の読み出しを不可能にするセキュリティ対応ハードディスク装置に関する。
【０００２】
【従来の技術】
現在のパソコン等の端末機器では、各種のコンテンツがハードディスク装置にプレインストールされていたり、ユーザーが必要とするコンテンツをインターネット等を経由してハードディスク装置にダウンロードして入手したりすることにより、それらを容易に利用することが出来るようになって来ている。そこで、このようにコンテンツが広く行き渡るようになるのに伴い、そのコンテンツの不正利用を確実に防止することも求められて来ている。
【０００３】
従来、不正利用を防止するためには、ＩＤ番号や、パスワードが設定され、契約者のみが使用できるようにされていたが、契約者がＩＤ番号，パスワードを第三者に漏洩し、この第三者が不正使用を行っているケースも見受けられた。このため、新たな対策として、記録媒体個々にＩＤを埋め込んでおき、例えばコンテンツを利用する為に必要なコンテンツキーを、前記ＩＤを基にして作成することにより、始めてコンテンツを利用することが可能となるようなシステムが提案されている。このようにすれば、媒体に埋め込まれているＩＤが盗まれない限り、素人に限らず、マニア等によるコンテンツの不正利用は完全に阻止されることになる。
【０００４】
【発明が解決しようとする課題】
しかしながら、上記のような不正防止の対策を行っていても、専門知識を持っている者が、ハードディスク装置を分解し、記録媒体の記録面の記録状態を磁気ヘッドを用いて読み取り、信号処理などの手段を用いれば、コンテンツキー，ＩＤ等を盗み取ることは原理的に可能であり、これにより著作権等で保護されているコンテンツ情報のみを取り出すことは、専門家にとっては全く不可能とは言えない。
【０００５】
従って、インターネットなどを用いたコンテンツ配信の普及をさらに高めるためには、コンテンツ供給者の著作権等が完全に保護される信頼性の高いシステムが求められている。本発明は、かかるセキュリティ要求を満たす開封検知作動機構付ハードディスク装置を提供するものである。
【０００６】
【課題を解決するための手段】
上述の要求を満たす本発明の開封検知作動機構付ハードディスク装置は、磁気記録媒体および磁気ヘッドを内包し、開口部を有する筐体と、該開口部を覆う蓋と、該蓋を前記筐体に締結するねじとを備えるハードディスク装置であって、前記ねじを締付ける方向の回転運動に対しては作動せず、緩める方向の回転運動に対して作動するラチェット機構を備えることを特徴とする。
【０００７】
ここで、前記ラチェット機構は、前記ねじの軸方向移動に連動する第一の部材と、該第一の部材に噛合い一方向へのみ力を伝達する第二の部材と、該第二の部材の力により位置移動される第三の部材を備えることが好ましい。
【０００８】
なお、前記第三の部材が、前記磁気記録媒体の記録を破壊する手段を駆動するように構成されてもよい。
【０００９】
【発明の実施の形態】
以下、本発明の実施の形態を添付図面を参照しつつ説明する。
【００１０】
まず、本発明の実施の形態によるハードディスク装置１００の断面構造を図１に示す。本発明の実施の形態によるハードディスク装置１００は、筐体１２０を有し、その内部に磁気記録媒体としてのハードディスク１４０およびヘッドアーム１４２、磁気ヘッド１４４等が内包されている。なお、１４６はハードディスク１４０を駆動するスピンドルモータ、１９０はハードディスク装置１００の制御を行う回路等が配された回路基板である。
【００１１】
筐体１２０は鋳造法等により簡単に製作され、その上部に開口部１２２が形成されている。筐体１２０に対し、開口部１２２を覆う蓋１２４が固定ねじ１２６によって締結固定されている。筐体１２０および蓋１２４を貫通して設けられた固定ねじ１２６の先端部には、ねじを締付ける方向の回転運動に対しては作動せず、緩める方向の回転運動に対して作動するラチェット機構１３０が、筐体１２０に支持されたガイド１２８内に配置されている。
【００１２】
ラチェット機構１３０は、ねじ１２６の軸方向移動に連動する第一の部材としての可動リング１３２、該第一の部材に噛合い一方向へのみ力を伝達する第二の部材としての分割式固定リング１３６、該第二の部材の力により位置移動される第三の部材としての筒状枠１５０を備えている。より詳しくは、可動リング１３２は固定ねじ１２６に遊嵌されて設けられ、側面に上方向傾斜面と直立面とを有する鋸歯が形成されている。なお、可動リング１３２の固定ねじ１２６への取付けは止め輪１３４で行われており、固定ねじ１２６の回転からフリーである。可動リング１３２に対向する位置には、同じく側面に下方向傾斜面と直立面とを有する鋸歯が形成された分割式固定リング１３６が設けられ、これは筒状枠１５０に立設された上下壁１３８により、固定ねじ１２６の移動方向への移動は拘束されているが、固定ねじ１２６の移動方向と直交する半径方向への移動はその背面に設けられたばね１５２によりフリーとされている。以上のような構成のラチェット機構１３０によれば、蓋１２４を組み立てる時の固定ねじ１２６のねじ込みの場合には、可動リング１３２が押し込まれる方向となり、可動リング１３２と固定リング１３６の鋸歯状部分が傾斜面同士が当接し互いに逃げあう向きとなるので、固定リング１３６はばね１５２を撓ませるのみで、筒状枠１５０は動かない。
【００１３】
そして、本実施の形態においては、磁気記録媒体１４０の磁性層１４０ａおよび潤滑層１４０ｂからなる記録層を破壊する手段として、筒状枠１５０の下部に可撓性フィルム等で形成された溶液容器１８０が内蔵されており、噴射口１８２が形成されると共に、噴射口１８２は封止フィルム１８４で塞がれている。なお、可撓性フィルム等で形成された溶液容器１８０の上部は、固定枠１５４に保持されている。
【００１４】
このようにして構成された本発明の実施の形態によるハードディスク装置１００において、筐体１２０を開封すべく蓋１２４を外そうとして、固定ねじ１２６を回転させると、固定ねじ１２６は上方に引上げられる。すると、鋸歯状部分の直立面同士が噛み合う方向となり、固定リング１３６も引き上げられ、同時に、筒状枠１５０も引き上げられる。この結果、筒状枠１５０の下部に内蔵されている溶液容器１８０が、固定枠１５４との間で加圧されることになる。従って、この溶液容器１８０がラチェット機構１３０を介して加圧されることにより、噴射口１８２から溶液が噴出・飛散し、磁気記録媒体１４０の記録層に噴射され、記録層の磁性層１４０ａまたは潤滑層１４０ｂを溶融または溶解することで、磁性層に埋め込まれた情報を正常に読み出せなくすることができるのである。
【００１５】
なお、上述した実施の形態における開封検知作動機構としてのラチェット機構は、ねじを締付ける方向の回転運動に対しては作動せず、緩める方向の回転運動に対して作動するに際し、ねじの引出し方向と同じ方向（すなわち、筐体の外部方向）に第三の部材としての筒状枠が移動する形式のものであったが、これは逆方向（すなわち、筐体の内部方向）に移動させるようにしてもよい。このようにすれば、磁気記録媒体の記録破壊手段として機械的なものを用い、これをラチェット機構で直接に駆動することにより磁気記録媒体に接触させ、その記録層に損傷を与えることができる。
【００１６】
また、上述のラチェット機構の位置移動の作動そのものにより、電気的スイッチ等を動作させて、ハードディスク装置の開封を検知するようにすることももちろん可能である。
【００１７】
【発明の効果】
本発明によれば、ハードディスク装置を開けて、ハードディスクに記録されているコンテンツ情報を読み出そうとしても、開封検知作動機構が作動し、所定の記録破壊動作を行うことができるので、コンテンツの読み出しが完全に阻止され、コンテンツ提供者の著作権を保護することが出来る。
【図面の簡単な説明】
【図１】本発明による開封検知作動機構付ハードディスク装置の実施の形態を示す断面図である。
【図２】本発明に用いられるラチェット機構の一例を示す断面図である。
【符号の説明】
１００　　ハードディスク装置
１２０　　筐体
１２２　　開口部
１２４　　蓋
１２６　　ねじ
１３０　　ラチェット機構
１４０　　ハードディスク（磁気記録媒体）
１４４　　磁気ヘッド
１８０　　溶液容器
１９０　　回路基板
【図１】
2004055019.tif 000003
【図２】
2004055019.tif 000004